(57)【要約】【課題】  アプリケーションプログラムの使用方法等にそれ程精通していない個人ユーザであっても、高品質なＷｅｂサイトを作成して公開する作業を容易に行うことができるように支援する。【解決手段】  本発明のプログラム１０は、Ｗｅｂサイトを公開するために用いるコンテンツを作成し、作成したコンテンツをサイトにＦＴＰにてアップロードすることを実行する諸プログラムを含み、更には、コンテンツの作成・公開・更新、及びコンテンツで使用する画像などの素材を最適なデータに加工するプログラム機能１１〜２０も含んでいるため、通常であれば複数のアプリケーションを必要とする作業も本発明のプログラムだけで完結させるができる。【選択図】  図２
2005309547.tif 000002
【特許請求の範囲】
【請求項１】
ユーザによるＷｅｂサイトの作成作業及び当該Ｗｅｂサイトのインターネット上への公開作業を支援する処理をコンピュータに実行させるプログラムであって、
ユーザ操作を支援する選択画面をコンピュータのディスプレイに表示し、選択画面に対してユーザから入力された操作入力を受け付ける編集プログラム部と、
Ｗｅｂサイトに少なくとも画像を含むメディアデータをレイアウトするためのデザインデータを複数種類保持するとともに、ユーザからの選択入力に応じて各デザインデータを提供するカートリッジプログラム部と、
選択されたデザインデータに適合する形式に画像データを変換する画像加工プログラム部と、
選択されたデザインデータに対して加工された画像データをＨＴＭＬ形式で配置したコンテンツデータを生成するＨＴＭＬレイアウトプログラム部と、
予め設定された接続設定パラメータに従ってＦＴＰ接続を行って、生成されたコンテンツデータをインターネット上のＷｅｂサーバにＷｅｂサイトとしてアップロードするＦＴＰプログラム部と、を含んでパッケージ化され、
当該パッケージ化されたプログラムをインストールすることにより、少なくとも画像を含むメディアデータをレイアウトしたＷｅｂサイトを作成してインターネット上で公開する作業を支援する処理を行うことを特徴とするコンピュータプログラム。
【発明の詳細な説明】
【技術分野】
【０００１】
本発明は、World Wide Webサイト（すなわち、Ｗｅｂサイト）を作成する作業を支援し、当該Ｗｅｂサイトをインターネット上のＷｅｂサーバで公開する作業を支援するため技術に関し、特に、画像を含むＨＴＭＬ（Hypertext Makeup Language）形式のＷｅｂサイトの作成・公開作業をユーザが容易に行うことができるように支援する諸機能をパッケージ化したコンピュータプログラムに関する。
【背景技術】
【０００２】
インターネットの普及により、インターネット上には多数のＷｅｂサイト（コンテンツデータ）が公開されており、ユーザはパーソナルコンピュータ等の情報端末装置を用いて、これらＷｅｂサイトの情報を取得して閲覧することが容易にできる環境が整えられている。
Ｗｅｂサイトは、企業や団体等が作成して公開するものに加えて、近年では、個人ユーザが種々な情報を発信するために作成されて公開されているものも多くあり、個人ユーザにとって、Ｗｅｂサイトの閲覧という情報利用の手段だけでなく、情報発信の手段としも利用されている。
【０００３】
Ｗｅｂサイトを作成してインターネット上に公開するためには、情報処理端末であるパーソナルコンピュータ（ＰＣ）を用いて、ユーザが例えば次のような作業を行っていた。
まず、ＰＣによってコンテンツ作成プログラムを実行して、種々なパラメータを設定してＷｅｂサイトのデザインを規定し、また、公開するテキストや画像のデータを加工して当該Ｗｅｂサイトに適合するように最適化する。なお、この画像データの最適化処理の作業では、通常、コンテンツ作成プログラムの他にフォトレタッチ専用プログラムをＰＣで実行する必要があり、あらかじめ最適化された画像データを用意しておいてから、コンテンツを作成する必要がある。
【０００４】
そして、ＰＣでＨＴＭＬレイアウトプログラムを実行して、最適化された画像データをＷｅｂサイトにリンク付けする等のＨＴＭＬ形式への変換処理作業を行ってコンテンツデータを生成しする。そして、ＰＣでＦＴＰ（File Transfer Protocol）専用プログラムを実行して、各ユーザーが公開すべきインターネットアドレスを所有するインターネットサービスプロバイダなどのサーバの各ユーザに割り振られた接続設定パラメーターをＦＴＰ専用プログラムに指定し、ＦＴＰ接続を行ってから、作成したコンテンツの必要なデータをサイト構成などを考慮しつつ、新規に作成した場合や更新した場合などその都度アップロード作業を行う。
なお、Ｗｅｂサイトにアクセスカウンタを設置する場合や掲示板を設置する場合には、ＰＣでＣＧＩ（Common Gateway Interface）プログラムを作成するか、もしくはインターネットプロバイダが用意したＣＧＩプログラムを利用するために、その仕様や設置方法などに沿ったサイトを構成する必要がある。
【発明の開示】
【発明が解決しようとする課題】
【０００５】
上記のように、少なくとも画像を含むＷｅｂサイトを作成してインターネット上のサーバにアップロードして公開する作業を行うには、コンテンツ作成プログラム、フォトレタッチ専用プログラム、ＦＴＰ専用プログラム、ＣＧＩプログラム等といった種々なアプリケーションプログラムを使用しなければならない。
すなわち、ユーザは作業に際して、このような種々なアプリケーションプログラムを用意し、これらアプリケーションプログラムを作業工程に応じて順次実行し、しかも、これらアプリケーションプログラムに対してパラメータ設定等の種々な操作を行わなければならなかった。
【０００６】
したがって、必要なアプリケーションプログラムを順次起動させたり、各アプリケーションプログラムをそれぞれ操作する必要があるため、Ｗｅｂサイトの作成公開作業が煩雑で比較的長い作業時間を要する困難な作業であった。
このため、個人ユーザがＷｅｂサイトを作成して公開することは困難であるので、熟練者に作業を依頼するといった方法が一般的となっており、インターネットによる情報流通技術の環境を十分に有効利用し得ていなかった。
【０００７】
本発明は、上記従来の事情に鑑みなされたもので、アプリケーションプログラムの使用方法等にそれ程精通していない個人ユーザであっても、高品質なＷｅｂサイトを作成して公開する作業を容易に行うことができるコンピュータプログラムを提供することを目的としている。
【課題を解決するための手段】
【０００８】
本発明は、ユーザによるＷｅｂサイトの作成作業及び当該Ｗｅｂサイトのインターネット上への公開作業を支援する処理をコンピュータに実行させるプログラムであって、ユーザ操作を支援する選択画面をコンピュータのディスプレイに表示し、選択画面に対してユーザから入力された操作入力を受け付ける編集プログラム部と、Ｗｅｂサイトに少なくとも画像を含むメディアデータをレイアウトするためのデザインデータを複数種類保持するとともに、ユーザからの選択入力に応じて各デザインデータを提供するカートリッジプログラム部と、選択されたデザインデータに適合する形式に画像データを変換する画像加工プログラム部（例えば、フォトレタッチ、動画サウンド読込、フォトシネマ、Ｆｌａｓｈ作成等といった画像加工プログラム部）と、選択されたデザインデータに対して加工された画像データをＨＴＭＬ形式で配置したコンテンツデータを生成するＨＴＭＬレイアウトプログラム部と、予め設定された接続設定パラメータに従ってＦＴＰ接続を行って、生成されたコンテンツデータをインターネット上のＷｅｂサーバにＷｅｂサイトとしてアップロードするＦＴＰプログラム部と、を含んでパッケージ化され、当該パッケージ化されたプログラムをインストールすることにより、少なくとも画像を含むメディアデータをレイアウトしたＷｅｂサイトを作成してインターネット上で公開する作業を支援する処理を行う。
【発明の効果】
【０００９】
本発明によると、熟練を要することなくユーザがＷｅｂサイトを公開するために用いるコンテンツを作成し、作成したコンテンツをサイトにＦＴＰにてアップロードすることを実行することができる。そして、本発明に係るプログラムパッケージは、このような作業処理に必要なコンテンツの作成、公開、画像などの素材の最適化加工を行うプログラム機能を含んでいるため、従来において必要とされた複数のアプリケーションプログラムが不要となり、アプリケーションプログラムの使用に係る高度な知識や熟練を要することなく、作業を行うことを実現することができる。
【発明を実施するための最良の形態】
【００１０】
本発明を一実施形態に基づいて具体的に説明する。
まず、本実施形態は図１に示すようにユーザが操作するパーソナルコンピュータ（ＰＣ）１がネットワーク（インターネット）２を介してＩＳＰ（Internet Service Provider）サーバ３に接続されるシステム構成により実施される。
【００１１】
ＰＣ１は、公知のように、ユーザからの操作入力を受け付けるキーボード４やマウス５といった操作入力手段や、情報を表示出力するディスプレイ６を有しており、内部機能としてインターネット２にアクセスする通信機能を有している。また、ＰＣ１は、公知のように、内部のハードウエア資源としてプロセッサ（ＣＰＵ）、メモリ、バス等を有しており、後述する本発明に係るコンピュータプログラムをインストールして実行することにより、画像を含むＨＴＭＬ形式のＷｅｂサイトの作成・公開作業をユーザが容易に行うことができるように支援する処理を実行する。
【００１２】
次に、本発明に係るコンピュータプログラムを説明する。
図２に示すように、本発明に係るコンピュータプログラムはそれぞれ異なる処理を実行するための複数のプログラムをパッケージ化した構成となっており、当該パッケージ１０をＰＣ１にインストールすることにより、ＰＣ１にこれらプログラムによる諸機能を実現して、ユーザがＰＣ１を操作することに応じてなされるＷｅｂサイトの作成及びサイト３への登録（公開）の作業を支援する。
【００１３】
図示の例では１０種類のプログラムが含まれており、カートリッジプログラム１１、サイト編集プログラム１２、ＦＴＰプログラム１３、フォトレタッチプログラム１４、HTMLレイアウトプログラム１５、動画・サウンド読込プログラム１６、フォトシネマ読込プログラム１７、Ｆｌａｓｈ作成プログラム１８、アクセスカウンタプログラム１９、Ｂｌｏｇ・掲示板プログラム２０がパッケージ化されている。これらフォトレタッチプログラム１４や、Ｆｌａｓｈ作成プログラム１８はそれぞれ本発明に係る画像加工プログラム部に相当し、ユーザにより選択されたデザインデータ（カートリッジ）に適合する形式に画像データを変換する。例えば、Ｆｌａｓｈ作成プログラム１８はユーザに煩雑な操作を強いることなく動的コンテンツをＦｌａｓｈ形式（Ｆｌａｓｈは、米マイクロメディア社のアニメーション作成ソフトの商品名）に変換してＷｅｂサイトを容易に作成することができる。
なお、このようなパッケージプログラムはＣＤＲＯＭ等の記憶媒体に記憶されて、ＰＣ１が当該記憶媒体からパッケージプログラムを読み取ってインストールする他、パッケージプログラムをネットワーク上のサーバからダウンロードしてインストールするようにしてもよい。
【００１４】
カートリッジプログラム１１は、最終的にサイト３にアップロードされて公開されるコンテンツ（Ｗｅｂサイト）の静的デザイン、動的デザイン，サイト構成を構築する重要な基本機能であり、Ｗｅｂサイトに少なくとも画像を含むメディアデータをレイアウトするためのデザインデータを複数種類保持するとともに、ユーザからの選択入力に応じて各デザインデータを提供する機能を実行する。敢えて概念的に例えると、カートリッジプログラム１１はユーザが任意に選択できるテンプレート集のようなものといえ、図３に示すように、カートリッジプログラム１１が保持するデザインデータは複数のデザインパーツ２１〜２９を含んだセットを複数有している。したがって、ユーザはＷｅｂサイトを作成する際に各デザインデータからカテゴリー別にデザインパーツを選択することで、様々な機能を有するＷｅｂサイトを作成することができる。
なお、本例のデザインデータセットはユーザが任意に追加や変更することができる。
【００１５】
ここで、ＴＯＰページ２１は、Ｗｅｂサイトのトップページのデザインを構成するデザインパーツデータである。フォトギャラリー２２は、トップページにリンクされるフォトギャラリーページのデザインを構成するデザインパーツデータである。ムービーギャラリー２３は、トップページにリンクされるムービーギャラリーページのデザインを構成するデザインパーツデータである。サウンドギャラリー２４は、トップページにリンクされるサウンドギャラリーページのデザインを構成するデザインパーツデータである。フォトシネマギャラリー２５は、トップページにリンクされるフォトシネマページのデザインを構成するデザインパーツデータである。日記２６は、トップページにリンクされる日記ページのデザインを構成するデザインパーツデータである。掲示板２６は、トップページにリンクされる掲示板ページのデザインを構成するデザインパーツデータである。Ｂｌｏｇ２７は、トップページにリンクされるＢｌｏｇページのデザインを構成するデザインパーツデータである。アクセスカウンタ２９は、トップページにリンクされるアクセスカウンタページのデザインを構成するデザインパーツデータである。
【００１６】
サイト編集プログラム１２は、ユーザがコンテンツの制作作業を行う際にＰＣ１に入力する指示命令を判別し、適切な処理を行うプログラムである。
例えば、ユーザがディスプレイ６に表示される操作画面「新規サイト作成」ボタンをマウス５を操作してクリックすると、サイト編集プログラム１２が当該して新規サイトの作成命令を受け取り、次の工程である「カートリッジ選択画面」をディスプレイ６に表示させるといった処理を行うものである。その他にも過去に作成したＷｅｂサイトを更新する際や、画像・動画などの選択や編集などを行う際にもユーザからの命令を受け取り、処理を行う。
【００１７】
ＦＴＰプログラム１３は、当該パッケージプログラム１０で作成されたコンテンツをユーザがＷｅｂサーバ３にて公開するためのプログラムである。
通常こういった作業を行う際には、コンテンツ作成アプリケーションの他にＦＴＰ専用アプリケーションを別途用いて、各ユーザが公開すべきインターネットアドレスを所有するインターネットサービスプロバイダなどのサーバの各ユーザーに割り振られた接続設定パラメータをＦＴＰ専用アプリケーションに指定し、ＦＴＰ接続を行ってから、作成したコンテンツの必要なデータをサイト構成などを考慮しつつ、新規に作成した場合や更新した場合などその都度アップロード作業を行う必要がある。これに対して、本発明に係るパッケージプログラム１０は、既に当該作業を自動化するＦＴＰプログラム１３が含まれており、パッケージプログラム１０の初回起動時に一度だけ接続設定パラメータを指定してしまえば、その後には一切の設定をすることなく、ユーザはコンテンツを新規に作成した場合も更新を行った場合でも、マウス動作にてクリックを一度行うのみでサイト構成を考慮したり、必要なデータをユーザー自身が選択することなく、サイトの公開・更新作業が行える。
【００１８】
フォトレタッチプログラム１４は、ユーザが公開したＷｅｂサイト（例えば、フォトギャラリーページ）にて画像を表示させる際に、サイト閲覧者に快適に閲覧してもらえるような形式に画像データを最適化する作業を自動で行うプログラムである。
通常、こういった作業を行う際はコンテンツ作成アプリケーションの他にフォトレタッチ専用アプリケーションを別途用いて、予め最適化された画像データを用意しておいてから、コンテンツを作成する必要がある。これに対して、本発明に係るパッケージプログラム１０は、この一連の作業を自動で行うことができるフォトレタッチプログラム１４が含まれているので、フォトレタッチ専用アプリケーションを用いた煩雑な作業を省くことができる。
なお、フォトレタッチプログラム１４は、ファイル名にＷｅｂ上では使用できない日本語を使用していた場合も、適切なファイル名に自動で変換し、管理を行うことが可能である。
【００１９】
ＨＴＭＬレイアウトプログラム１５は、ユーザがＷｅｂサイトの新規作成や作成済みのＷｅｂサイトの更新作業を行った際に生成される各データを、Ｗｅｂサーバにて公開して閲覧者が閲覧できるように、ＨＴＭＬ形式にレイアウトするプログラムである。
本発明に係るパッケージプログラム１０は、このＨＴＭＬレイアウトプログラム１５が含まれることで、ユーザは一切のＨＴＭＬスクリプトを自らで作成する必要がなくなり、ＨＴＭＬコンテンツを容易に作成することができる。
【００２０】
動画・サウンド読込プログラム１６は、ユーザがＷｅｂサイト（例えば、ムービーギャラリーページやサウンドギャラリーページ）で公開したい動画データやサウンドデータを適切な形でレイアウトするプログラムである。
本発明に係るパッケージプログラム１０は、この動画・サウンド読込プログラム１６が含まれることで、ユーザは動画やサウンドを含むコンテンツを容易に作成することができる。
【００２１】
フォトシネマ読込プログラム１７は、ユーザがＷｅｂサイト（例えば、フォトシネマギャラリーページ）で公開したいフォトシネマ（静止画像データのスライドショー）を適切な形でレイアウトするプログラムである。
本発明に係るパッケージプログラム１０は、このフォトシネマ読込プログラム１７が含まれることで、ユーザはスライドショーを含むコンテンツを容易に作成することができる。
【００２２】
Ｆｌａｓｈ作成プログラム１８は、本発明に係るパッケージプログラム１０で作成された動的コンテンツを、世界中のＷｅｂでリッチコンテンツとして用いられているＦｌａｓｈ形式に作成することができるプログラムである。
本発明に係るパッケージプログラム１０は、このＦｌａｓｈ作成プログラム１８が含まれていることにより、一般的に利用するにはその使用方法などにより操作が困難なＦｌａｓｈ作成専用アプリケーションを用いることなく、Ｆｌａｓｈ形式で構成された動的コンテンツを含むＷｅｂサイトを容易に作成・公開することができる。
【００２３】
アクセスカウンタプログラム１９は、ユーザが公開したＷｅｂサイトの閲覧者の統計・表示をアクセスカウンタページで行うことができるプログラムである。
本発明に係るパッケージプログラム１０は、このアクセスカウンタプログラム１９が含まれていることにより、一般的に利用するにはその仕様・設置方法などにより操作が困難なＣＧＩプログラムを用いることなく、アクセスカウンタをＷｅｂサイトに容易に設置することができる。
【００２４】
Ｂｌｏｇ・掲示板プログラム２０は、ユーザが公開したＷｅｂサイトの閲覧者がそのサイトに直接コメントを書き込むことができるプログラムである。
本発明に係るパッケージプログラム１０は、このＢｌｏｇ・掲示板プログラム２０が含まれていることにより、一般的に利用するにはその仕様・設置方法などにより操作が困難なＣＧＩプログラムを用いることなく、Ｂｌｏｇ・掲示板をＷｅｂサイトの掲示板ページやＢｌｏｇページに設置することができる。
【００２５】
次に、ユーザがパッケージグログラム１０をインストールしたＰＣ１を操作して、コンテンツ制作作業を行う際の手順に関して説明する。図４には手順を示し、図５〜図１２にはそれぞれの作業手順に沿った操作画面の概要を示してある。
パッケージグログラム１０を起動させると、その初回の起動時には図５に示すような「ＦＴＰ接続設定」画面３０がディスプレイ６に表示され、ユーザが入力手段４、５を操作してＦＴＰ接続設定パラメータ（サーバ名、アカウント、パスワード等）を入力してＦＴＰプログラム１３に設定する（ステップＳ１）。
【００２６】
次いで、ディスプレイ６には図６に示すような「新規作成」画面３１が表示され、当該画面中の「新規サイト作成」ボタン３１をユーザがマウス５の操作でクリックすることにより、Ｗｅｂサイトを新規作成して公開するための一連の処理作業が開始する（ステップＳ２）。
ここで、「新規作成」画面３１には「おまかせ」ボタン３３と「自分で」ボタン３４とが設けられており、コンテンツ作成を開始する際に、いずれかのボタンをユーザがマウス５の操作でクリックすることにより選択して、「自動作成モード）」または「手動作成モード」を選択する。
【００２７】
「自動作成モード」を選択した場合は、予めセットされた１つのデザインデータセット（図３）をユーザが選択してエディットを開始する。具体的には、ディスプレイ６には図７に示すような「選択」画面３５が表示され、当該画面中に表示されているデザインデータのセット（図面には、各セットをカートリッジ０１〜０３として表示）をユーザがマウス５の操作でクリックすることにより選択し、同じくマウス操作で「選択」ボタン３６をクリックすることでいずれかのカートリッジ（デザインデータセット）を選択する（ステップＳ３）。
【００２８】
このようにカートリッジを選択すると、ディスプレイ６には図８に示すような「エディット開始」画面３７が表示され、当該画面中に表示されている「エディット開始」ボタン３８ユーザがマウス５の操作でクリックすることにより、選択したデザインデータセットによるＷｅｂサイトのエディット処理が開始される（ステップＳ４）。
例えば、選択したカートリッジ（０３）がＴＯＰページ、フォトギャラリー、日記で構成されているものであれば、ユーザはクリック動作しか行っていないにも関わらず、すでにＴＯＰページ、フォトギャラリーページ、日記ページで構成されたＷｅｂコンテンツが完成している。
【００２９】
エディット処理では、ディスプレイ６に図９に示すような画面３９が表示され、すでにＴＯＰページ、フォトギャラリーページ、日記ページで構成されたＷｅｂコンテンツが表示される。
当該コンテンツに対して、ユーザが入力手段４、５を操作して、コンテンツ内の画像データや文字をユーザーが公開したい内容に変更し、画面３９中の「公開」ボタン４０をクリックするだけでエディット作業が終了し（ステップＳ５）、当該コンテンツがサイト３に自動的にアップロードされて公開される（ステップＳ６）。
【００３０】
一方、「手動作成モード」を選択した場合は、まず、ユーザがカートリッジ（デザインデータセット）から任意にパーツデザインを選択して、作成するコンテンツのサイト構成を決める作業を行う（ステップＳ７）。すなわち、ディスプレイ６には図１０に示すような「カテゴリー別カートリッジ選択」画面４１が表示され、当該画面中に表示されているパーツデザインをユーザがマウス５の操作でクリックすることにより選択し、同じくマウス操作で「選択」ボタン４２をクリックすることでＷｅｂサイトのデザインを決定する。
例えば、ＴＯＰページ、フォトギャラリーページ、サウンドギャラリーページ、Ｂｌｏｇページで構成されるＷｅｂサイトを作成するときには、カートリッジ０１の中からＴＯＰページ、カートリッジ０３の中からフォトギャラリー、カートリッジ０４の中からサウンドギャラリー、カートリッジ０６の中からＢｌｏｇというように、各カテゴリー別にユーザが任意にデザインパーツを選択して決定する。
【００３１】
次いで、ディスプレイ６には図１１に示すような「選択」画面４３が表示され、当該画面には予めＰＣ１に記憶されている画像データや音楽データが複数サムネイル表示される。当該画面中に表示されている音楽や画像データをユーザがマウス５の操作でクリックすることにより選択し、同じくマウス操作で「選択」ボタン４４をクリックすることで使用するデータを決定する（ステップＳ８）。
【００３２】
そして、ディスプレイ６には図１２に示すような「サイト編集」画面４５が表示され、当該画面にＴＯＰページに記述するテキスト等をユーザが操作入力し、「編集」ボタン４６をクリックして編集内容を決定する（ステップＳ９）。
その後の操作処理は、上記と同様なエディット開始（ステップＳ１０）、エディット完了（ステップＳ１１）、サイト公開（ステップＳ１２）がなされ、作成されたコンテンツがアップロードされて公開される。
【００３３】
次に、上記のような作業を行った際のパッケージプログラム１０側（すなわち、ＰＣ１側）での処理手順を図１３を参照して説明する。
ここで、詳細に説明するため、図１４にはＰＣ１に構成される各機能手段とともにデータ処理の流れを示してあり、同図も適宜参照する。なお、図１４中には、ＰＣ１におけるユーザインタフェースの処理に係る部分を「ユーザ処理部」として示し、ＰＣ１の内部処理に係る部分を「アプリケーション処理部」として示してある。
【００３４】
パッケージプログラム１０をユーザが初めて起動した時のみ「ＦＴＰ接続設定」画面（図５）をディスプレイ６に表示し（ステップＳ２１）、ユーザが入力した接続設定パラメータをＦＴＰプログラム１３が受け付けてＦＴＰ接続試験を行い、失敗した場合は「再入力」画面をディスプレイ６に表示し、成功した場合は「新規作成」画面（図６）をディスプレイ６に表示する（ステップＳ２２）。
そして、ユーザがモードを選択して「新規サイト作成」ボタン３２をクリックすると、新規サイト作成命令をサイト編集プログラム１２が受け付ける（ステップＳ２３）。
【００３５】
ここで、まず、ユーザが「手動作成モード」を選択した場合を説明する。
「カテゴリー別カートリッジ選択」画面（図１０）をディスプレイ６に表示させ、ユーザからデザインパーツの選択命令をカートリッジプログラム１１が受け付ける（ステップＳ２４）。
そして、サイト編集プログラム１２が「データ選択」画面（図１１）をディスプレイ６に表示し、ユーザからの選択されたデータ（以下の説明では画像データを例とする）の選択命令をフォトレタッチプログラム１４が受け付け、当該選択された画像データを最適化する加工処理を行う（ステップＳ２５）。
【００３６】
次いで、サイト編集プログラム１２が「サイト編集」画面（図１２）をディスプレイ６に表示させ、ユーザが編集した各データの命令をデータの種類に応じて、フォトレタッチプログラム１４、動画・サウンド読込プログラム１６、フォトシネマ読込プログラム１７、アクセスカウンタプログラム１９、Ｂｌｏｇ・掲示板プログラム２０の必要なプログラム部が受け付け、データに対する加工等の処理がなされる（ステップＳ２６）。
【００３７】
そして、必要なプログラム部で加工などを施されたデータの命令はカートリッジプログラム１１によって受け付けられ、更に必要なデータ加工が施されてＦｌａｓｈ作成プログラム１８に渡される。受け取られたデータはＦｌａｓｈ作成プログラム１８によって動的コンテンツであるＦｌａｓｈファイルに生成され、生成されたデータを受け取ったＨＴＭＬレイアウトプログラム１５がＷｅｂにて公開可能なデータに加工して、エディット処理の完了する（ステップＳ２７、Ｓ２８）。
【００３８】
そして、ディスプレイ６に表示した「エディット完了」画面（図９）において、ＦＴＰプログラム１３がユーザによる「公開」ボタン４０のクリック操作を受け付け（ステップＳ２９）、ＦＴＰ接続処理を行って（ステップＳ３０）、作成したコンテンツデータをサイト３にアップロードして当該Ｗｅｂサイトを公開する（ステップＳ３１、Ｓ３２）。
【００３９】
一方、ユーザが「自動作成モード」を選択した場合には、図７に示した「選択」画面をディスプレイ６に表示して、カートリッジプログラム１１がユーザからのカートリッジセットの選択を受け付ける（ステップＳ３３）。そして、選択されたカートリッジセットのデザインデータを用いて、上記ステップＳ２７〜Ｓ３２と同様な処理を行って、作成したコンテンツデータをサイト３にアップロードして当該Ｗｅｂサイトを公開する（ステップＳ３４〜Ｓ３９）。
【図面の簡単な説明】
【００４０】
【図１】本発明の一実施形態に係るシステム構成を示す図である。
【図２】本発明の一実施形態に係るパッケージプログラムの構成を示す図である。
【図３】本発明の一実施形態に係るデザインデータセット（カートリッジ）の構成を示す図である。
【図４】本発明の一実施形態に係るユーザ操作作業を説明する図である。
【図５】本発明の一実施形態に係る画面表示例を示す図である。
【図６】本発明の一実施形態に係る画面表示例を示す図である。
【図７】本発明の一実施形態に係る画面表示例を示す図である。
【図８】本発明の一実施形態に係る画面表示例を示す図である。
【図９】本発明の一実施形態に係る画面表示例を示す図である。
【図１０】本発明の一実施形態に係る画面表示例を示す図である。
【図１１】本発明の一実施形態に係る画面表示例を示す図である。
【図１２】本発明の一実施形態に係る画面表示例を示す図である。
【図１３】本発明の一実施形態に係る処理動作を説明する図である。
【図１４】本発明の一実施形態に係る処理動作を機能構成とともに説明する図である。
【符号の説明】
【００４１】
１：パーソナルコンピュータ（ＰＣ）、
２：インターネット、
３：Ｗｅｂサイトサーバ、
６：ディスプレイ、
１０：パッケージプログラム、
１１：カートリッジプログラム、
１２：サイト編集プログラム、
１３：ＦＴＰプログラム、
１４：フォトレタッチプログラム、
１５：ＨＴＭＬレイアウトプログラム、
１６：動画・サウンド読込プログラム、
１７：フォトシネマ読込プログラム、
１８：Ｆｌａｓｈ作成プログラム、
１９：アクセスカウンタプログラム、
２０：Ｂｌｏｇ・掲示板プログラム、
２１：デザインデータ（カートリッジ）、
２２〜２９：デザインパーツ、
【図１】
2005309547.tif 000003
【図２】
2005309547.tif 000004
【図３】
2005309547.tif 000005
【図４】
2005309547.tif 000006
【図５】
2005309547.tif 000007
【図６】
2005309547.tif 000008
【図７】
2005309547.tif 000009
【図８】
2005309547.tif 000010
【図９】
2005309547.tif 000011
【図１０】
2005309547.tif 000012
【図１１】
2005309547.tif 000013
【図１２】
2005309547.tif 000014
【図１３】
2005309547.tif 000015
【図１４】
2005309547.tif 000016